(57)【特許請求の範囲】
【請求項１】
防水機器に用いられる蓋装置において、
上記防水機器の外観の一部に設けられ外部に対する防水性を必要とし外部からアクセサリが挿入される挿入口を有する凹部であって、上記挿入口に挿入される上記アクセサリの挿入方向に対して交差する面と平行に上記挿入口の口元全周に亘って設けられたリング状の第１の面と、挿入口に挿入されるアクセサリの挿入方向に対して平行に挿入口の口元全周に亘って設けられた第２の面とを有する凹部と、凹部を覆い防水するゴム材からなる蓋状部材であり略平板に形成された平板部と、上記蓋状部材が上記凹部を覆ったとき、上記平板部の一方の面上の縁部全周に亘ってリング状に形成された突起状の形を有し上記突起の頂点部分が上記第１の面と当接する環状の第１のシール部分と、上記平板部の外周端面全周に亘ってリング状に形成された突起状の形を有し上記突起の頂点部分が上記第２の面と当接するリング状の第２のシール部分とを有する蓋手段と、
上記蓋手段の中にインサートされて配置された板状の剛性部材であって、上記第１のシール部分の突起底辺全域を支える第１の剛性部分と、
上記蓋手段の中にインサートされて配置された矩形板状の剛性部材であって、上記第１の剛性部分の平面における外形寸法より小さく上記第１の剛性部分と平行に配置され、上記板状剛性部材の端面の全周が上記第２のシール部分の突起底辺全域と上記ゴム部材を介して対向するように上記第２のシール部分の突起底辺部分を支える第２の剛性部分と、
を具備することを特徴とする防水機器に用いられる蓋装置。
【請求項２】
上記２つの剛性部分は金属から構成されていることを特徴とする請求項１に記載の防水機器に用いられる蓋装置。
【請求項３】
上記第１の剛性部分と上記第２の剛性部分とが一体に形成された剛性部材が上記蓋手段の中にインサートされていることを特徴とした請求項１又は請求項２に記載の防水機器に用いられる蓋装置。
【請求項４】
上記第１のシール部分と上記第２のシール部分とを連結するゴム部分は上記第１のシール部分と上記第２のシール部分のそれぞれが、上記開口を覆ったときに相対的に変位可能になるように薄膜状に構成されていることを特徴とする上記請求項1乃至３記載の防水機器に用いられる蓋装置。
【発明の詳細な説明】
【技術分野】
【０００１】
この発明は、防水機器に用いられる蓋装置において、防水性能の向上と安定化に寄与する構造に関するものである。
【背景技術】
【０００２】
従来、カメラ等の電子機器においては、機器の外面を覆う箱形状の外装部材と、この外装部材の内部に設けられる各種の構成部材等によって形成されているのが普通である。そして、外装部材内部に配設されている構成部材に対して外部からのアクセスを許容するために、外装部材の一部を開閉可能に構成した蓋装置を備えて構成されるものがある。このような蓋装置は、例えば上記外装部材内部に形成される電池室や記録媒体収納室等の開口部若しくは外部機器接続用コネクタ等の配設部等を開閉するために用いられる。
【０００３】
一方、上述のような蓋装置を備えた電子機器においては、近年、生活防水を備えたものや、水中環境下等でも使用し得るような防水機能を具備するものが一般に普及している。この種の防水機能を備えた防水機器に用いられる蓋装置としては、例えば特開２０１１−１９０９３２号公報等に開示されている電子機器のように、蓋装置を構成する蓋部材に防水ゴムを備え、蓋部材を閉位置に配置した時に防水ゴムが圧縮変形することによって、外装部材の開口部等から内部への水等の浸入を抑えるというものである。
【先行技術文献】
【特許文献】
【０００４】
【特許文献１】特開２０１１−１９０９３２号公報
【発明の概要】
【発明が解決しようとする課題】
【０００５】
ところが、上記特開２０１１−１９０９３２号公報等によって開示されている手段では、蓋部材を閉位置に配置した時に防水ゴムの縦方向（スラスト方向）と横方向（ラジアル方向）のそれぞれに芯材(204f)による圧縮力が伝わらず防水ゴムの圧縮状態が安定しない。これによって、当該手段では、所定の防水性能を安定して保持することができないという問題点がある。
【０００６】
特に水中環境下等で使用する防水機器においては、水深によって機器にかかる水圧が上昇することから、さらに高い防水性能を要求される場合には、上記公報等に開示されている従来の手段では対応できないという問題点がある。
【０００７】
本発明は、上述した点に鑑みてなされたものであって、その目的とするところは、防水機器に用いられる蓋装置において、防水性能の向上と安定化に寄与し得る構造を具備する蓋装置を提供することである。
【課題を解決するための手段】
【０００８】
上記目的を達成するために、本発明の一態様の防水機器に用いられる蓋装置は、上記防水機器の外観の一部に設けられ外部に対する防水性を必要とし外部からアクセサリが挿入される挿入口を有する凹部であって、上記挿入口に挿入される上記アクセサリの挿入方向に対して交差する面と平行に上記挿入口の口元全周に亘って設けられたリング状の第１の面と、上記挿入口に挿入される上記アクセサリの挿入方向に対して平行に上記挿入口の口元全周に亘って設けられた第２の面とを有する凹部と、上記凹部を覆い防水するためのゴム材からなる蓋状部材であり略平板に形成された平板部と上記蓋状部材が上記凹部を覆ったとき上記平板部の一方の面上の縁部全周に亘ってリング状に形成された突起状の形を有し上記突起の頂点部分が上記第１の面と当接する環状の第１のシール部分と上記平板部の外周端面全周に亘ってリング状に形成された突起状の形を有し上記突起の頂点部分が上記第２の面と当接するリング状の第２のシール部分とを有する蓋手段と、上記蓋手段の中にインサートされて配置された板状の剛性部材であって上記第１のシール部分の突起底辺全域を支える第１の剛性部分と、上記蓋手段の中にインサートされて配置された矩形板状の剛性部材であって上記第１の剛性部分の平面における外形寸法より小さく上記第１の剛性部分と平行に配置され上記板状剛性部材の端面の全周が上記第２のシール部分の突起底辺全域と上記ゴム部材を介して対向するように上記第２のシール部分の突起底辺部分を支える第２の剛性部分とを具備する。
【発明の効果】
【０００９】
本発明によれば、防水機器に用いられる蓋装置において防水性能の向上と安定化に寄与し得る構造を具備する蓋装置を提供することができる。
【図面の簡単な説明】
【００１０】
【図１】本発明の一実施形態の蓋装置を用いた防水機器の正面図
【図２】図１の防水機器において蓋装置を開位置に配置した状態の正面図
【図３】図２の矢印［３］方向から見た開口部の要部拡大図
【図４】図１の［４］−［４］線に沿う要部拡大断面図
【図５】図４の符号［８］で示す部位の要部拡大断面図
【図６】本発明の一実施形態の蓋装置のみを取り出して拡大して示す分解斜視図
【図７】図６の蓋装置の内側面の拡大正面図
【図８】図７の［８］−［８］線に沿う断面図
【発明を実施するための形態】
【００１１】
以下、図示の実施の形態によって本発明を説明する。本発明の一実施形態は、本発明をの蓋装置を適用する防水機器として、例えば光学レンズにより形成される光学像を固体撮像素子を用いて光電変換し、これによって得られる画像信号を静止画像や動画像を表わすデジタルデータとして記録媒体に記録し、また記録媒体に記録済みのデジタル画像データに基いて静止画像や動画像を表示装置を用いて再生表示し得るように構成され、防水機能付きカメラを例示するものである。
【００１２】
また、本実施形態においては、カメラの使用時に被写体に対向する面をカメラの前面というものとする（図１の符号ＦＲで示す）。カメラの使用時に使用者が対向する面をカメラの背面というものとする。また、操作部材のうちシャッターレリーズボタンが配設されている面を上面というものとする。そして、カメラの上面に対向する面を底面というものとする（図１の符号ＢＴで示す）。さらに、カメラの通常の使用状態で両側に配置される面を左側面及び右側面というものとする。この場合における左右の判別は、被写体側からカメラの前面に向かって見たときの左側又は右側をそれぞれ左又は右として区別する。
【００１３】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１４】
まず、本発明の一実施形態の蓋装置を用いた防水機器（カメラ）の概略構成を図１〜図５を用いて以下に説明する。図１，図２は、本発明の一実施形態の蓋装置を用いた防水機器（カメラ）を示す外観正面である。このうち、図１は蓋装置を閉位置に配置した状態を示している。また、図２は蓋装置にを開位置に配置した状態を示している。図３は、図２の状態の防水機器（カメラ）の底面の開口部を図２の矢印［３］方向から見た際の要部拡大図である。図４は、図１の［４］−［４］線に沿う要部拡大断面図である。つまり、図１の防水機器（カメラ）の開口部周辺の断面を右側方から見た際の図である。図５は、図４の符号［８］で示す部位の要部拡大断面図である。つまり、本実施形態の蓋装置の防水ゴムと防水機器本体（筐体）との接触部位の断面をさらに拡大して示す図である。
【００１５】
本実施形態の蓋装置が適用されるカメラ１は、防水機能を有して構成される防水機器である。カメラ１は、図１，図２に示すように、全体が箱形状に形成され、機器の主要本体部（機器本体）を構成する外装筐体１０と、この外装筐体１０に形成される凹部からなるアクセサリ開口部１０ｅ（図３参照）を開閉する蓋装置２１と、上記外装筐体１０の内部に収納配置される各種の構成部材等によって構成される。
【００１６】
外装筐体１０は、カメラ１の外殻を形成する部材であり、その内部に各種の構成ユニットを収納配置している。外装筐体１０の、外表面上には、内部構成ユニットの一部を露呈させるための開口部（１０ａ，１０ｂ，１０ｅ等）が形成され、また、各種の操作を行なうための複数の操作部材（１２，１３等）が各々所定の部位に配設されている。
【００１７】
具体的には、例えば外装筐体１０の前面側ＦＲには、略中央部に撮影光学系２０を露呈させる撮影用開口１０ａが形成されている。また、外装筐体１０の前面側ＦＲにおいて、向かって右側の上縁寄りの部位には閃光発光装置の照明部を露呈させる照明光出射用開口１０ｂが形成されている。なお、撮影用開口１０ａ，照明光出射用開口１０ｂの前面には透明部材が水密的に固定配置されている。したがって、当該開口（１０ａ，１０ｂ）から内部への水等の侵入は防止されている。また、外装筐体１０の上面には、複数の操作部材のうちシャッターリリースボタン１２や電源ボタン１３等が配設されている。
【００１８】
一方、カメラ１の底面側ＢＴには、図３，図４に示すように、電池１４を収納する電池室と、記録媒体１５を収納する記録媒体収納室とを兼ねる開口であって、電池１４，記録媒体１５等のアクセサリ開口部１０ｅが形成されている。
【００１９】
なお、ここで、電池１４，記録媒体１５等は、防水機器１の内部に収納されることで当該防水機器１の一構成部材となる。このように、カメラ１に対して着脱自在に設けられる構成部材は、一般にアクセサリと呼ばれている。したがって、本実施形態のカメラ１において、アクセサリ開口部１０ｅは、外部からアクセサリを挿入するアクセサリ挿入口となっている。アクセサリ開口部１０ｅは、アクセサリの着脱を実現するために蓋装置２１によって開閉自在となっている。ここで、蓋装置２１が閉位置に配置された状態（図１の状態）において、蓋装置２１の外表面と外装筐体１０（の底面側ＢＴ）の外表面とが略面一となるように、蓋装置２１及び外装筐体１０は構成されている。
【００２０】
また、図４に示すように、カメラ１の内部において、記録媒体１５の近傍には、メイン基板１６や、この基板１６上に実装される実装部品１６ａ、固定フレーム部材１７、液晶表示パネル１８等の内部構成部材が配置される。
【００２１】
カメラ１の背面側は、外装筐体１０の一部を構成する背面カバー１０ｄによって覆われており、背面カバー１０ｄに穿設された開口部（不図示）より液晶表示パネル１８の表示面が外部に露呈するように構成されている。なお、図４において、液晶表示パネル１８の周縁部と背面カバー１０ｄとの間には防水性を備えた緩衝材１８ａが配置されている。
【００２２】
カメラ１の前面側は、外装筐体１０の一部を構成する前面カバー１０ｃによって覆われている。図４に示すように、上記凹部１１は、前面カバー１０ｃの底面側の一部に形成されている。そして、前面カバー１０ｃと背面カバー１０ｄの接続部位には、防水ゴム１９が挟持されてカメラ内部の防水性が保持されている。
【００２３】
なお、本実施形態のカメラ１においては、前面カバー１０ｃの外面側の外装板として前側メタルカバー１０ｆ，１０ｇが配設されている。これらの前側メタルカバー１０ｆ，１０ｇも、外装筐体１０の一部を構成する部材としている。したがって、図４においては、前側メタルカバー１０ｆ，１０ｇを明示しているが、図１，図２においては、外面に露呈する部分全体を外装筐体であるものとし、それに対し、代表符号１０を附して図示を簡略化している。
【００２４】
また、アクセサリ挿入口であるアクセサリ開口部１０ｅは、カメラ１を防水機器として成立させるために、外部に対して防水性を必要とする部位である。したがって、アクセサリ開口部１０ｅにおける防水機能を実現するために、外装筐体１０のアクセサリ開口部１０ｅには、リング状に形成される第１の面であるスラスト方向防水面１０ｓと、第２の面であるラジアル方向防水面１０ｒとによって形成される凹部１１（図３，図５参照）が設けられている。この凹部１１に対して蓋装置２１の一部が嵌合配置される。これによって、蓋装置２１の外表面と外装筐体１０（の底面側ＢＴ）の外表面とが略面一となる。
【００２５】
凹部１１は、本実施形態の防水機器であるカメラ１の外観の一部（底面側ＢＴの所定の部位）に設けられている。凹部１１は、アクセサリ開口部１０ｅ（挿入口）に挿入されるアクセサリ（電池１４，記録媒体１５等）の挿入方向に対して交差する面（即ちアクセサリ開口部１０ｅの開口面）と平行にアクセサリ開口部１０ｅ（挿入口）の口元全周に亘って設けられたリング状の第１の面であるスラスト方向防水面１０ｓと、アクセサリ開口部１０ｅ（挿入口）に挿入されるアクセサリ（電池１４，記録媒体１５等）の挿入方向に対して平行に挿入口の口元全周に亘って設けられた第２の面であるラジアル方向防水面１０ｒとを有する。
【００２６】
上述の如く、上記カメラ１は、底面側ＢＴの所定の部位であって、外装筐体１０の一部であるアクセサリ開口部１０ｅを開閉する構成ユニットである蓋装置２１を有している。この蓋装置２１は、外装筐体１０の凹部１１のアクセサリ開口部１０ｅを外部に対して露呈する開位置（図２参照）と、凹部１１に嵌合配置されてアクセサリ開口部１０ｅを外部に対して水密的に遮蔽する閉位置（図１参照）との間で変位し得るように構成されている。具体的には、蓋装置２１は、外装筐体１０の固定部に対して軸部材２１ｄｄ（図２参照）を回動中心として図２の矢印Ｒ方向に回動自在に軸支されている。
【００２７】
次に、上記カメラ１における蓋装置２１の詳細構成を以下に説明する。なお、図６は、本発明の一実施形態の蓋装置のみを取り出して拡大して示す分解斜視図である。図７は、図６の蓋装置の内側面を拡大して示す正面図である。図８は、図７の［８］−［８］線に沿う断面図である。
【００２８】
上記カメラ１における蓋装置２１は、上述したように、一端が外装筐体１０の固定部に対して軸部材２１ｄｄ（図２参照）を回動中心として図２に示す矢印Ｒ方向に沿って回動自在となるように軸支されている。蓋装置２１は、図１の閉位置に配置したときにはアクセサリ開口部１０ｅを遮蔽し、図２の開位置に配置したときにはアクセサリ開口部１０ｅを露呈させるように作用する。
【００２９】
アクセサリ開口部１０ｅは、上述したように、外装筐体１０の内部に形成される電池室及び記録媒体収納室の開口であり電池１４，記録媒体１５の挿入口である。電池室及び記録媒体収納室には、例えば着脱式の充電式バッテリー（電池１４）や着脱式のメモリカード（記録媒体１５）等が配設される。そして、蓋装置２１を図２の開位置に配置したとき、これらの電池１４，記録媒体１５等を外装筐体１０の内部の電池室及び記録媒体収納室に対して着脱することができるように構成されている。
【００３０】
図６〜図８に示すように、蓋装置２１は、蓋部材２２と、蓋ロック機構を構成する複数部材（２３，２４等）と、平板部材２５と、シール部材２６と、軸部材２１ｄｄ（不図示；図２参照）と、複数（本実施形態では二本）のビス２７ａ，２７ｂ等によって主に構成されている。
【００３１】
蓋部材２２は、蓋装置２１を外装筐体１０に対して閉位置に配置したとき外装筐体１０の底面側ＢＴの一部を構成する。蓋部材２２は、一面が開口した略箱型状に形成される。蓋部材の一端部には、軸部材２１ｄｄが貫通配置される貫通穴２２ｄを有しヒンジ部を形成する二本の腕部２２ｃが形成されている。この二本の腕部２２ｃの間に外装筐体１０の固定部（不図示）が配置される。この状態において、上記固定部には、上記二本の腕部２２ｃの貫通孔２２ｄに連通する貫通孔が形成されている。したがって、二本の腕部２２ｃの間に外装筐体１０の固定部（不図示）を配置した状態で、貫通孔２２ｄに対して固定部の貫通孔を介して上記軸部材２１ｄｄが挿通配置される。これの構成により、蓋部材２２は、軸部材２２ｄを回動中心として外装筐体１０に対して回動自在に軸支される。
【００３２】
シール部材２６は、蓋装置２１を閉位置に配置したときに、上記凹部１１に嵌合してアクセサリ開口部１０ｅを覆い、上記蓋部材２２と上記アクセサリ開口部１０ｅの凹部１１との間の水密的な遮蔽状態を保持し防水するために設けられる蓋状部材であり蓋手段である。シール部材２６は、例えば弾性を有するゴム状部材（シリコーン樹脂等）等によって形成される。上記蓋装置２１においては、シール部材２６が上記凹部１１の二つの面（第１の面であるスラスト方向防水面１０ｓ及び第２の面であるラジアル方向防水面１０ｒ）のそれぞれに押圧されることによって防水機能が実現されるように構成されている。
【００３３】
そのために、シール部材２６は、平板部２６ａと、第１のシール部分２６ｓと、第２のシール部分２６ｒとが一体に形成されてなる。  
平板部２６ａは、略平板に形成され蓋部材２２のアクセサリ開口部１０ｅの開口面積と略同等の面積を有し、蓋装置２１を閉位置に配置したとき上記アクセサリ開口部１０ｅを覆い得るような形状に形成される。平板部２６ａは、主にゴム部材によって形成される部分である。
【００３４】
第１のシール部分２６ｓは、平板部２６ａの一方の面上において周縁部近傍の全周に亘ってリング状に形成され、かつアクセサリ開口部１０ｅ（挿入口）に挿入されるアクセサリ（電池１４，記録媒体１５等）の挿入方向に対して平行な方向に突設される突起形状を有し、蓋装置２１を閉位置に配置したとき、上記突起の頂点部分が上記第１の面であるスラスト方向防水面１０ｓに圧接される部分である。
【００３５】
第２のシール部分２６ｒは、平板部２６ａの外周端面全周に亘ってリング状に形成され、かつアクセサリ開口部１０ｅ（挿入口）に挿入されるアクセサリ（電池１４，記録媒体１５等）の挿入方向に対して交差する面（即ちアクセサリ開口部１０ｅの開口面）と平行な方向に突設される突起形状を有し、蓋装置２１を閉位置に配置して上記第１のシール部分２６ｓが上記スラスト方向防水面１０ｓに圧接した状態となったとき、上記突起の頂点部分が上記第２の面であるラジアル方向防水面１０ｒに圧接される部位である。なお、図面には、第１，第２のシール部分２６ｓ，２６ｒが非圧縮の状態で示されているが、これは説明のために、そのように図示しているものである。実際には、第１，第２のシール部分２６ｓ，２６ｒは、スラスト方向防水面１０ｓ，ラジアル方向防水面１０ｒに圧接して圧縮状態となる。
【００３６】
シール部材２６の内部には、２つの板状の剛性部材（２６ｂ，２６ｃ）がインサートされて配設されている。つまり、２つの板状の剛性部材（２６ｂ，２６ｃ）の外面はシール部材２６によって被覆されており、これによりシール部材２６のゴム材部分と２つの剛性部材との両者は一体成型部品として構成されている。
【００３７】
上記２つの板状の剛性部材（２６ｂ，２６ｃ）は、それぞれが剛性を有する略矩形状の板部材からなり、蓋装置２１自体の機械的強度を補強する補強部材として機能すると同時に、上記第１のシール部分２６ｓと第２のシール部分２６ｒとを支えることにより、安定した防水機能を確保するために配設されている。
【００３８】
上記２つの板状剛性部材（２６ｂ，２６ｃ）のうち、第１の剛性部材２６ｂは、第１のシール部分２６ｓの突起底辺全域を支える第１の剛性部分を有している。したがって、第１の剛性部材２６ｂが第１のシール部分２６ｓを支えることによってスラスト方向の安定した圧縮力が確保される。
【００３９】
また、上記２つの板状剛性部材（２６ｂ，２６ｃ）のうち、第２の剛性部材２６ｃは、矩形板状の剛性部材からなり、第２のシール部分２６ｒの突起底辺部分を支える第２の剛性部分を有している。したがって、第２の剛性部材２６ｃが第２のシール部分２６ｒを支えることによってラジアル方向の安定した圧縮力が確保される。そのために、第２の剛性部材２６ｃは、第１の剛性部材２６ｂの平面における外形寸法よりも、図５の符号Ｂで示す寸法分だけ小さい。つまり、アクセサリ開口部１０ｅにおいて防水機能を実現するためのラジアル方向の圧縮力を確保するためには、第２の剛性部材２６ｃの端面と第２のシール部分２６ｒの先端との寸法は、図５の符号Ａで示す寸法だけ必要となる、これにより、第２の剛性部材２６ｃは、第１の剛性部材２６ｂよりおも外形寸法が符号Ｂで示す寸法だけ小さくなるように設定される。
【００４０】
また、第２の剛性部材２６ｃは、図５に示すように、第１の剛性部材２６ｂとはアクセサリ挿入方向に平行に所定の間隔を置いて配置されている。なお、本実施形態においては、蓋装置２１の閉状態において、第１の剛性部材２６ｂが内側に、第２の剛性部材２６ｃが外側に、それぞれ配置されるように構成している。そして、第２の剛性部材２６ｃは、端面の全周が第２のシール部分２６ｒの突起底辺全域に対してシール部材２６のゴム部を介して対向するように配置されている。
【００４１】
さらにまた、第１のシール部分２６ｓと第２のシール部分２６ｒとを連結するシール部材２６のゴム部分は、第１のシール部分２６ｓと第２のシール部分２６ｒとのそれぞれが凹部１１に嵌合し、アクセサリ開口部１０ｅを覆ったときに相対的に変位可能になるように、かつそれぞれの圧縮変形が互いに他方の突起へと影響を及ぼさないように、図５に示す連結部分２６ｔが薄膜状に形成されている。
【００４２】
なお、本実施形態の蓋装置２１におけるシール部材２６にインサートされる部材２６ｂ，２６ｃとしては、ステンレス（ＳＵＳ）等の金属部品は勿論のこと、それ以外の素材、例えばセラミック等によってもよい。さらに、金属板状部材としてアルミ板でもよく合成樹脂等によってもよい。合成樹脂等としても、比較的に強度の高いフェノール樹脂等を用いてもよい。また、その他の素材、例えばガラス繊維入りの熱可塑性の合成樹脂等を採用することも考えられる。
【００４３】
また、本実施形態の蓋装置２１におけるシール部材２６においては、そのインサートされる部材を、上記第１の剛性部分と上記第２の剛性部分とをそれぞれ別に有する別体の薄板部材を有して形成した構成例を示している。しかし、このような形態に限られることはなく、例えばシール部材２６（蓋手段）の内部にインサートされた一部材が、上記各剛性部分を有して形成するようにしてもよい。つまり、例えば、部材２６ｂと部材２６ｃとを一体として形成するようにしてもよい。
【００４４】
このように構成されたシール部材２６は、平板部材２５の一面に載置した状態で、該平板部材２５と共に、蓋部材２２に対して２７ａ，２７ｂによってビス止め固定されている。即ち、シール部材２６と蓋部材２２との間には、両者に挟まれるようにして、例えば金属等の素材によって形成される平板部材２５等が配設される。
【００４５】
さらに、蓋部材２２内に形成される凹状隔壁内の所定の位置には、本蓋装置２１を閉位置に配置した時に、その閉状態を維持するための蓋ロック機構を構成する構成部材（２３，２４等；後述）が設けられている。
【００４６】
蓋ロック機構は、二つの操作部材（第一操作部材２３，第二操作部材２４）を有して構成される。このうちの第一操作部材２３は、蓋部材２２に対して図６に示す矢印Ｘ方向（カメラ１の左右方向）にスライド移動可能に配設されている。そのために、第一操作部材２３には外装筐体１０の外部に露呈する第一操作ツマミ（不図示）が形成されている。この第一操作ツマミは蓋部材２２に穿設された孔部２２ｆから外部に露呈している。
【００４７】
また、第一操作部材２３の一端には係止爪部２３ａが形成されている。この係止爪部２３ａは、蓋部材２２の他端に形成された切欠部２２ｅに対応する部位に配置される。また、第一操作部材２３は、不図示の付勢部材によって蓋部材２２に対して図６に示す矢印Ｘ方向のうち係止爪部２３ａを切欠部２２ｅから外部に向けて突出させる方向に付勢されている。
【００４８】
さらに、第一操作部材２３にはクリック凸部２３ｂが形成されている。このクリック凸部２３ｂは、平板部材２５の第一クリックばね部２５ｅと連繋して、第一操作部材２３がスライド移動する際に所定の移動位置でクリック感を持たせるようにしている。
【００４９】
したがって、通常状態において、係止爪部２３ａの先端部は、蓋部材２２の切欠部２２ｅから外部に突出した状態（図２参照）となっている。そして、蓋装置２１が閉位置に配置される時には、係止爪部２３ａが外装筐体１０のアクセサリ開口部１０ｅ近傍の壁面に当接した状態で押圧されると、係止爪部２３ａは付勢部材の付勢力に抗して蓋部材２２の内部に一旦引き込まれ、次いで、同壁面に形成される凹状の被係止部（不図示）に係合する。これによって、蓋装置２１は閉位置で係止されるように構成されている。
【００５０】
一方、第二操作部材２４は、蓋部材２２に対して図６に示す矢印Ｙ方向（カメラ１の前後方向）にスライド移動可能に配設されている。そのために、第二操作部材２４には外装筐体１０の外部に露呈する第二操作ツマミ２４ａが形成されている。この第二操作ツマミ２４ａは蓋部材２２に穿設された孔部２２ｇから外部に露呈している。
【００５１】
また、第二操作部材２４には係止部２４ｃが形成されている。この係止部２４ｃは、第一操作部材２３に形成された被係止部２３ｃに対応する部位に配置される。したがって、第二操作部材２４が所定の位置にスライド移動された時、係止部２４ｃが第一操作部材２３の被係止部２３ｃを係止することによって、第一操作部材２３のスライド移動を阻止する役目をしている。したがって、第二操作部材２４のスライド操作を行うことによって、第一操作部材２３のスライド移動を係止若しくは解除することができるようになっている。
【００５２】
なお、第二操作部材２４にもクリック凸部２４ｂが形成されている。このクリック凸部２４ｂは、平板部材２５の第二クリックばね部２５ｄと連繋して、第二操作部材２４がスライド移動する際に所定の移動位置でクリック感を持たせるようにしている。
【００５３】
ビス２７ａ，２７ｂは、シール部材２６を、平板部材２５，蓋ロック機構を介在させた状態で、蓋部材２２に対してネジ止め固定するための締結部材である。そのために、蓋部材２２には、ビス２７ａ，２７ｂのそれぞれに対応させて、ビス孔２２ａ，２２ｂを有するボス部が形成されている。ここで、ビス２７ａは、シール部材２６の孔２６ｄ，平板部材２５の孔２５ａを挿通して蓋部材２２のビス孔２２ａに螺合する。ビス２７ｂは、シール部材２６の孔２６ｅ，平板部材２５の孔２５ｂ，第一操作部材２３の孔２３ｄを挿通して蓋部材２２のビス孔２２ｂに螺合する。この場合において、第一操作部材２３の孔２３ｄは、第一操作部材２３のＸ方向へのスライド移動を許容するための形状、例えば同方向に長軸を有する長孔形状等となるように形成されている。
【００５４】
なお、図示を省略しているが、蓋装置２１が外装筐体１０に取り付けられた状態では、蓋装置２１は、常に開位置となるように、例えばコイルバネ等の付勢部材によって開方向へ付勢されている。
【００５５】
このように構成された本実施形態の蓋装置２１の作用を、以下に簡単に説明する。  
まず、蓋装置２１がカメラ１の外装筐体１０に対して開位置にある状態（図２に示す状態）において、矢印Ｒ方向に蓋装置２１を閉位置へ向けて回動させる。蓋装置２１は、軸部材２１ｄｄを回動中心として回動し、やがて、蓋装置２１はアクセサリ開口部１０ｅを覆う位置へと変位する。さらに、蓋装置２１の同方向への回動を続けると、蓋装置２１のシール部材２６がアクセサリ開口部１０ｅに嵌合する。このときは、まず第２のシール部分２６ｒの突起先端がラジアル方向防水面１０ｒに沿ってラジアル方向の圧縮力を受けながら挿入方向に移動する。やがて、第１のシール部分２６ｓの突起先端がスラスト方向防水面１０ｓに当接し圧縮される。このとき、第１のシール部分２６ｓの突起先端は蓋装置２１の外周側に向けて圧接変形される。そのために、凹部１１には、第１のシール部分２６ｓの圧縮変形による逃げ部が設けられているので、第１のシール部分２６ｓの突起先端に無理な過負荷が加わることなく、安定した形状に圧縮変形する。これにより、安定した圧縮力が得られる。
【００５６】
そして、蓋装置２１が所定の閉位置に配置されると、蓋ロック機構を操作して蓋装置２１が不用意に開位置へと移動してしまわないようにロックがかけられる。
【００５７】
蓋装置２１を閉位置から開位置へと移動させる際には、上記蓋ロック機構を操作して蓋装置２１のロック状態を解除する。すると、蓋装置２１は、図２の矢印Ｒ方向に沿って開位置へと向けて回動し得る状態になる。蓋装置２１を開位置へ配置させる際には、まず、第２のシール部分２６ｒの突起先端がラジアル方向防水面１０ｒに沿ってラジアル方向の圧縮力を受けながら挿入方向とは反対方向に移動する。同時に、第１のシール部分２６ｓの突起先端がスラスト方向防水面１０ｓから離間して元の形状に復帰する。
【００５８】
以上説明したように上記一実施形態によれば、外装筐体１０のアクセサリ開口部１０ｅを有する凹部１１に対し、蓋装置２１を嵌合させてアクセサリ開口部１０ｅを覆った状態としたとき、アクセサリ開口部１０ｅのスラスト方向防水面１０ｓに対して蓋装置２１のシール部材２６の第１のシール部分２６ｓを圧接させ、アクセサリ開口部１０ｅのラジアル方向防水面１０ｒに対して蓋装置２１のシール部材２６の第２のシール部分２６ｒを圧接させることで、アクセサリ開口部１０ｅの防水を実現している。この場合において、蓋装置２１のシール部材２６は、ゴム部材に２つの剛性部材（２６ｂ，２６ｃ）をインサート成型して一体に形成している。そして、第２の剛性部材２６ｃは、第１の剛性部材２６ｂの平面における外形寸法よりも、図５の符号Ｂで示す寸法分だけ小さく、かつ第１の剛性部材２６ｂとはアクセサリ挿入方向に平行に所定の間隔を置いて配置している。
【００５９】
このような構成により、本実施形態の蓋装置２１によれば、シール部材２６における第１のシール部分２６ｓ，第２のシール部分２６ｒを、アクセサリ開口部１０ｅのスラスト方向防水面１０ｓ，ラジアル方向防水面１０ｒに対し、より安定した圧縮力で圧接させることができる。したがって、カメラ１の防水性能の向上を図ることができると共に、防水機能の安定化に寄与することができる。
なお、本実施形態においては、蓋装置２１が配置される凹部１１（アクセサリ開口部１０ｅ）として、電池１４，記録媒体１５の挿入口を例示しているが、この例に限られることはない。これ以外の例としては、例えば、外部機器接続用コネクタ等が配設される凹部を覆う蓋装置に対して全く同様に適用することができ、本実施形態のカメラ１においても、図面上に明示していないが、同様の構成からなるコネクタ用蓋装置がカメラ１の右側面に配設されている。
【００６０】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００６１】
本発明は、デジタルカメラ等の撮影用機器に限られることはなく、防水機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の防水機能を備えた各種の電子機器に対して広く適用することができる。
【符号の説明】
【００６２】
１……カメラ，
１０……外装筐体，１０ａ……撮影用開口，１０ｂ……照明光出射用開口，１０ｃ……前面カバー，１０ｄ……背面カバー，１０ｅ……アクセサリ開口部，１０ｆ，１０ｇ……前側メタルカバー，
１０ｒ……ラジアル方向防水面，１０ｓ……スラスト方向防水面，
１１……凹部，２０……撮影光学系，
２１……蓋装置，２１ｄｄ……軸部材，２２……蓋部材，２２ａ，２２ｂ……ビス孔，２３……第一操作部材，２４……第二操作部材，２５……平板部材，
２６……シール部材，２６ａ……平板部，２６ｂ……第１の剛性部材，２６ｃ……第２の剛性部材，２６ｒ……第２のシール部分，２６ｓ……第１のシール部分，２６ｔ……連結部分，
２７ａ，２７ｂ……ビス
【図１】
0006009803.tif 000002
【図２】
0006009803.tif 000003
【図３】
0006009803.tif 000004
【図４】
0006009803.tif 000005
【図５】
0006009803.tif 000006
【図６】
0006009803.tif 000007
【図７】
0006009803.tif 000008
【図８】
0006009803.tif 000009